(57)【要約】  緊急視認装置を装備したグレアシールドは，操縦室内のグレアシールドと前記グレアシールド内に嵌め込まれたコンパートメントとを備える。送風機が前記コンパートメント内に配置される。気密性材料から形成され，展開時は拡張形態で，非使用時は収縮形態である膨張式第１筺体が管状空気通路により前記送風機に接続される。前記収縮形態時の前記第１筺体は前記コンパートメント内に保管される。第１及び第２クリア部材は前記筺体のそれぞれ第１及び第２端部に配置され，煙又は他の粒状物質が周囲にあるときに使用者が拡張時の前記第１筺体を介して視認し，前記第１筺体の遠位端にある情報源を観測することを可能にする。スイッチが前記送風機と操作可能に接続され，前記第１筺体を展開時に前記送風機を作動し，それにより前記第１筺体を膨張させる。【選択図】図２
2014520038.tif 000002
【特許請求の範囲】
【請求項１】
緊急視認装置を装備したグレアシールドであって：
ａ）操縦室内のグレアシールド；
ｂ）前記グレアシールド内に嵌め込まれたコンパートメント；
ｃ）前記コンパートメント内の送風機；
ｄ）気密性材料から形成され，展開時は拡張形態で，非使用時は収縮形態である膨張式第１筺体であって，前記収縮形態時の前記第１筺体は前記コンパートメント内に保管されている第１筺体；
ｅ）前記筺体のそれぞれ第１及び第２端部に配置され，煙又は他の粒状物質が周囲にあるときに使用者が拡張時の前記第１筺体を介して視認し，前記第１筺体の遠位端にある情報源を観測することを可能にする第１及び第２クリア部材；
ｆ）前記送風機と操作可能に接続し，前記第１筺体を展開すべきときに前記送風機を作動し，それにより前記第１筺体を前記拡張形態へと膨張させるスイッチ；
ｇ）前記送風機と前記第１筺体を接続する管状空気通路：
を備えるグレアシールド。
【請求項２】
緊急視認装置を装備した請求項１記載のグレアシールドであって，前記コンパートメントには前記送風機を収容する第１区分，及び前記収縮時の前記膨張式第１筺体を収容する第２区分が備えられることを特徴とするグレアシールド。
【請求項３】
緊急視認装置を装備した請求項１記載のグレアシールドであって：
ａ）前記コンパートメントは取り外し可能なカバーを備え；
ｂ）前記スイッチを前記カバーと操作可能に接続し，前記カバーを取り外したときに前記スイッチが自動的に作動するようになる：
ことを特徴とするグレアシールド。
【請求項４】
緊急視認装置を装備した請求項１記載のグレアシールドであって：
ａ）前記スイッチを前記膨張式第１筺体と操作可能に接続し；
ｂ）前記膨張式第１筺体を前記コンパートメントから取り出すと前記スイッチが自動的に作動する：
ことを特徴とするグレアシールド。
【請求項５】
緊急視認装置を装備した請求項１記載のグレアシールドであって：
ａ）前記スイッチには，前記スイッチと操作可能に接続され，前記部材を前記スイッチから取り外すと前記スイッチが作動してオン状態になるように構成されている取り外し可能な部材が備えられ；
ｂ）前記カバーが取り外されるとスイッチから前記部材が有効に取り外されるように前記部材が前記カバーに取り付けられている：
ことを特徴とするグレアシールド。
【請求項６】
緊急視認装置を装備した請求項１記載のグレアシールドであって：
ａ）前記スイッチには，前記スイッチと操作可能に接続され，前記部材を前記スイッチから取り外すと前記スイッチが作動してオン状態になるように構成されている取り外し可能な部材が備えられ；
ｂ）前記コンパートメントから前記膨張式第１筺体が取り出されると前記部材がスイッチから有効に取り外されるように，前記部材が前記膨張式第１筺体に取り付けられている：
ことを特徴とするグレアシールド。
【請求項７】
緊急視認装置を装備した請求項１記載のグレアシールドであって：
ａ）前記コンパートメントには前記第１区分と前記第２区分との間に仕切りが備えられ；
ｂ）取り外し可能なカバーは前記第１部分上に配置してある：
ことを特徴とするグレアシールド。
【請求項８】
緊急視認装置を装備した請求項１記載のグレアシールドであって，前記膨張式第１筺体が前記拡張形態であるときは前記コンパートメント上に配置してあることを特徴とするグレアシールド。
【請求項９】
緊急視認装置を装備した請求項１記載のグレアシールドであって，前記管状空気通路の長さが格納されているときは短く，展開されているときは長いことを特徴とするグレアシールド。
【請求項１０】
緊急視認装置を装備した請求項１記載のグレアシールドであって，展開時には前記管状空気通路の長さは伸長可能であることを特徴とするグレアシールド。
【請求項１１】
緊急視認装置を装備した請求項１記載のグレアシールドであって，前記膨張式第１筺体には，別の管状空気通路を別の膨張式第１筺体に接続するコネクタが備えられていることを特徴とするグレアシールド。
【請求項１２】
緊急視認装置を装備した請求項１記載のグレアシールドであって：
ａ）前記管状通路は第１及び第２区分を含み；
ｂ）前記第１区分では第１端部は前記送風機に接続され，第２端部は前記コンパートメントの外側が終端であり；
ｃ）取り外し可能なキャップが前記第２端部に配置され；
ｄ）前記第２区分は前記第２端部と前記第１筺体に接続された第４端部とを接続する第３端部を有する：
ことを特徴とするグレアシールド。
【請求項１３】
緊急視認装置を装備した請求項１２記載のグレアシールドであって，一端は前記送風機に接続され，他の一端は前記グレアシールド上の位置が終端である別の管状通路をさらに備えることを特徴とするグレアシールド。
【請求項１４】
緊急視認装置を装備した請求項１２記載のグレアシールドであって，一端は前記送風機に接続され，他の一端は前記コンパートメントから離れた位置が終端である別の管状通路をさらに備えることを特徴とするグレアシールド。
【請求項１５】
緊急視認装置を装備した請求項１２記載のグレアシールドであって，前記キャップが取り外されると前記送風機が自動的に作動するように前記キャップを前記スイッチに操作可能に接続することを特徴とするグレアシールド。
【請求項１６】
緊急視認装置を装備した請求項１記載のグレアシールドであって，
ａ）前記第１筺体はチューブコネクタを備え；
ｂ）手持ち型膨張式第２筺体；及び
ｃ）前記膨張式第１筺体からの膨張した空気の一部を使用して前記手持ち型膨張式第２筺体を膨張させるように，可撓性チューブでは一端は前記チューブコネクタに接続され，他の一端は前記手持ち型膨張式第２筺体に接続されている：
ことを特徴とするグレアシールド。
【請求項１７】
緊急視認装置を装備した計器盤であって：
ａ）計器盤；
ｂ）前記計器盤に嵌め込まれたコンパートメント；
ｃ）前記コンパートメント内の送風機；
ｄ）気密性材料から形成され，展開時は拡張形態で，非使用時は収縮形態である膨張式第１筺体であって，前記収縮形態時の前記第１筺体は前記コンパートメント内に保管されている第１筺体；
ｅ）前記筺体のそれぞれ第１及び第２端部に配置され，煙又は他の粒状物質が周囲にあるときに使用者が拡張時の前記第１筺体を介して視認し，前記第１筺体の遠位端にある情報源を観測することを可能にする第１及び第２クリア部材；
ｆ）前記送風機と操作可能に接続し，前記第１筺体を展開するときに前記送風機を作動し，それにより前記第１筺体を前記拡張形態へと膨張させるスイッチ；
ｇ）前記送風機及び前記第１筺体を接続する管状空気通路；
ｈ）取り外し可能なカバーを備える前記コンパートメント；及び
ｉ）前記カバーを取り外すと前記スイッチが自動的に作動するように，前記カバーに操作可能に接続された前記スイッチ：
を備えることを特徴とする計器盤。
【発明の詳細な説明】
【技術分野】
【０００１】
本発明は，一般に，火災で発生した煙及び／又は粒状物質あるいは他の発生源がオペレータの周りに充満した後でも，オペレータが計器や他の視覚的データ源の視覚的認識を維持できる装置に関する。特に，本発明は，操縦士の見通し線(Line of sight)に沿って操縦士と航空機の防風ガラス及び／又は計器盤との間の隔たりを埋める膨張式筺体を使用し，防風ガラス及び／又は計器盤への鮮明な視覚経路をもたらし，これにより煙及び／又は粒状物質が操縦室の領域内に充満した後でも，航空機を誘導して安全に着陸させるための重要な情報をオペレータに提供する緊急視認装置に関する。
【背景技術】
【０００２】
操縦士が視覚を悪化させる煙の中で視認することを補助し，操縦士が安全に航空機を誘導することを補助する計器盤及び操縦室の外側で得られる視覚情報によって提供されるような重要な情報への視覚的アクセスを維持する緊急視認装置は米国特許第4,832,287号；5,318,250号；5,202,796号；5,947,415号；6,460,804号及び7,583,455号に開示されており，これらはすべてBertil Werjefeltが特許を取得している。
【発明の概要】
【０００３】
本発明は，操縦室内のグレアシールドと，前記グレアシールド内に嵌め込まれたコンパートメントとを備える，緊急視認装置を装備したグレアシールドを提供する。送風機が前記コンパートメント内に配置される。気密性材料から形成され，展開時は拡張形態で，非使用時は収縮形態である膨張式第１筺体が管状空気通路により前記送風機に接続される。前記収縮形態時の前記第１筺体は前記コンパートメント内に保管される。第１及び第２クリア部材は前記筺体のそれぞれ第１及び第２端部に配置され，煙又は他の粒状物質が周囲にあるときに使用者が拡張時の前記第１筺体を介して視認し，前記第１筺体の遠位端にある情報源を観測することを可能にする。スイッチが前記送風機と操作可能に接続され，前記第１筺体を展開時に前記送風機を作動し，それにより前記第１筺体を膨張させる。
【図面の簡単な説明】
【０００４】
【図１】操縦室の概略側面図であり，展開した配置にある本発明を具体化している装置を示す。
【図２】操縦室の斜視図であり，送風機及び付属部品ならびに膨張式筺体を収容するグレアシールド内に配置されたコンパートメント用のアクセスカバーを示す。
【図３】一部を切り欠いた装置の平面図であり，収縮状態の膨張式筺体，及びその膨張式筺体と操作可能に接続したスイッチを示す。
【図４】膨張式筺体を収容したコンパートメントの一部のアクセスカバーに接続したスイッチを操作する取り外し可能な部材がある以外は図３と同様である。
【図５】操縦室の斜視図であり，取り外されて収縮した膨張式筺体を覆うアクセスカバーを示す。
【図６】図５と同様であり，コンパートメントから取り外している膨張式筺体を示す。
【図７】部分的に膨張した膨張式筺体を示す。
【図８】操縦室の斜視図であり，完全に膨張した膨張式筺体を示し，またホースで膨張式筺体に接続された手持ち型装置も示す。
【図９】操縦室の斜視図であり，本発明の別の実施態様を示す。
【図１０】図９と同様であり，空気出口から取り外している途中の取り外し可能なキャップを示す。
【図１１】送風機を作動するスイッチと操作可能に接続した取り外し可能なキャップで蓋をした３本のホースを有する送風機の概略図である。
【図１２】各々がそれぞれのキャップと操作可能に接続された平行な３つのスイッチを示す概略配線図であり，このキャップが取り外されると，接続されたスイッチが有効にオン状態になる。
【図１３】一部が切欠かれているコンパートメントの概略平面図であり，膨張式筺体を別の場所に保管することで空間要求を抑えていることを示している。
【図１４】操縦室の斜視図であり，図９に示す出口から供給された空気で部分的に膨張した筺体を示す。
【０００５】
発明の詳細な説明
本発明を具体化している計器盤一体型緊急視認装置２を図１に開示する。装置２は発煙緊急時に航空機操縦室などのオペレータステーション４で使用し，使用者が煙の先に飛行計器などの情報源を視認できるようにしている。航空機操縦室の環境では，オペレータステーション４は防風ガラス６及びグレアシールド８を備える。装置２は透明なクリア部材１２及びもう１つの透明なクリア部材１４を有する膨張式筺体１０を備え，それらは使用者１６が発煙緊急時の状況下で筺体１０を介して防風ガラス６から視認できるようにしている。このことは，航空機を制御し，安全に着陸させようとする使用者を有利に補助するものである。筺体１０は，使用者が計器盤２０上の情報を観測できるようにするもう１つの透明なクリア部材１８も備える。装置２はグレアシールド８内に配置されたコンパートメント２２を備える。筺体１０が展開し，有効に配置される場所の近傍にコンパートメント２２を配置すると，後述で明らかになるように省スペースの配置がもたらされる。先行技術で公知のように，筺体１０は筺体が過度に膨張することを防止するリリーフバルブ（図示せず）を備える。
【０００６】
筺体１０は，クリア部材１２と１４との間，ならびにクリア部材１８と１４との間の見通し線が鮮明である限りどのような形状で作られてもよい。好ましくは，中間の空間にある視界を不鮮明にする煙を排除するため，クリア部材１２は防風ガラス６と密接するように配向し，形成する。同様に，クリア部材１８を計器盤２０の面に密接させて配向する。クリア部材１２，１４及び１８は表面の不規則性に合うように，またそれを覆うように十分柔軟性があり，それらは接触してこのような表面上のあらゆる煙も排除する。
【０００７】
筺体１０は気密性の布地，又はプラスチックシートなどの他の柔軟かつ折り畳み可能な材料から形成されている。透明なクリア部材１２，１４及び１８は折り畳み可能なシート状プラスチックで形成してもよい。
【０００８】
図２を参照すると，装置２はグレアシールド８内に嵌め込まれていることが示されている。グレアシールド８の外側に見えているのはアクセスカバー２４及び２６である。アクセスカバー２６は何らかの器具を使用せずとも容易に取り外せる。離陸及び着陸中に十分保持する力を示す磁気ホルダーなどの標準的手段によりアクセスカバー２６を定位置に固定するが，そのカバーは発煙緊急時，装置２を展開するために使用者が容易かつ迅速に取り外すことができる。アクセスカバー２４及び２６はグレアシールド８の外表面と同一平面にすることが好ましい。
【０００９】
オペレータステーションの全体的な環境では，コンパートメント２２を計器盤の一部として設置し，発煙又は視覚を妨げる緊急時にオペレータの視認に重要である情報源を示す計器の近傍に配置してもよい。コンパートメント２２は計器盤に嵌めて設置することが好ましく，アクセスカバー２４及び２６は計器盤と同一表面であるか，あるいは計器盤表面の上に突出している。コンパートメント２２は表面備え付け型とすることも可能である。
【００１０】
図３を参照すると，ねじ２７又は数種の他の標準的手段によりアクセスカバー２４は定位置に固定できる。コンパートメント２２は仕切り壁２９により，バッテリー群３８を動力源としたモータ３６で作動される送風機３４を収容する区分２８，及び筺体１０を収容する区分３０に仕切られている。周囲大気を可撓性ホース４２を経由して筺体１０に送る前に，フィルターカートリッジ４０は粒状物質を含む周囲大気を濾過する。空気は矢印４６に概括的に示される方向にコンパートメント２２の壁部４４の挿孔を通り，筺体１０に吸い込まれる。メンテナンスの目的で区分２８の内側にある様々なコンパートメントにアクセスできるように，アクセスカバー２４を使用する。
【００１１】
装置２は筺体１０が展開される場所に近くなるように配置することから，グレアシールド８内に装置２を配置すると，送風機３４と筺体１０との間にあるホース４２の長さを短くでき，有利になることが分かる。このことは後に，装置２の保管に必要なスペースを縮小する。保管するホースが短いことからコンパートメント２２は小さめで，スペースはあまり必要とせず，したがって航空機で重視すべき事柄である重量も縮小される。
【００１２】
開放モータ状態でスイッチを維持する取り外し可能な部材５０とスイッチ４８を操作可能に接続し，通常，部材５０はスイッチ収容部内に配置してある。部材５０を取り外すとき，スイッチ４８を閉じた状態に自動的に切り換えて送風機３４を回転させるモータ３６を作動する。筺体１０をコンパートメントから取り外すときに，コンパートメント２２から筺体１０を取り外す動作以外には使用者は操作を加えずに取り外し可能な部材５０も取り外せるように，ライン５１など標準的な手段により部材５０を筺体１０に取り付け，これによりスイッチ４８が自動的に作動するようになる。筺体１０はコンパートメント２２内に保管されているときは収縮状態にあることが示されている。
【００１３】
展開するためコンパートメント２２から筺体１０を出すときにホース４２が所望の長さに伸長するように，ホース４２は可撓性で伸縮性がある。保管時は，コンパートメント２２内のスペースを縮小するために，長さが短くなるようにホース４２は収縮してある。保管時は長さを短く収縮し，展開時は長く伸長するようにできる気密性布地材料で包んだ螺旋バネからホース４２を形成してもよい。プラスチック材料からホース４２を形成することも可能であり，ホースの壁はひだを形成するか，あるいは折り畳まれたアコーディオン型にしてあり，そうすることで，使用中は長くなるようにホースを伸ばし，保管中は短くなるように収縮させることができる。他の伸縮性ホース構造は当業者の技能の範疇にある。
【００１４】
図４を参照すると，取り外し可能な部材５０がカバー２６に取り付けられていることが示されており，カバー２６を取り外すときに，取り外し可能な部材５０も取り外せるようになっており，これによりスイッチ４８が自動的に作動するようになる。ライン５１などの標準的手段は部材５０及びカバー２６に接続する。
【００１５】
図５を参照すると，取り外し可能なアクセスカバー２６を取り外す工程が示されている。取り外し可能な部材５０はカバー２６に取り付けられていることが示されている。図６に示すように，コンパートメント区分３０の内側から筺体１０が取り出されるとホース４２は伸長する。
【００１６】
図７を参照すると，膨張式筺体１０が送風機３４により膨張する工程が示されている。この図ではクリア部材１２は視認できるようになっている。ホース手段が短くなればなるほど保管スペースが小さく，重量も軽くなることから，ホース４２の長さを最小限にするため筺体１０をコンパートメント２２の近傍又はその上に配置することが有利である。
【００１７】
図８に示すように，筺体１０には，ホース５６を介して付属の携帯式手持ち型筺体５４に接続して使用できる取り外し可能なキャップを有するホースコネクタ５２が備えられている。また手持ち型筺体５４にはクリア部材５８及び６０が備えられ，これにより使用者はホース５６のリーチ内で手持ち型筺体５４を計器盤の一部に向けることが可能となり，操縦室内の煙の中でクリア部材５８及び６０を介して情報を視認することができる。ハンドルストラップ６１により，使用者は自分の腕を１つのストラップに擦り抜けさせて，手で別のストラップを掴み，それにより使用者は必要に応じて，例えばコンソール又は電子フライトバッグ上の飛行管理システムディスプレイに対して手持ち型筺体５４を向けて配置することができる。手持ち型筺体５４は気密性布地材料又は他の柔軟かつ折り畳み可能なプラスチックシート材料から形成されている。
【００１８】
図９及び図１０を参照すると，本発明の他の実施態様が開示されており，ここでは，膨張式筺体１０をコンパートメント２２から分離させ，使用者に都合よく届く範囲内に配置されたポケット６２内に保管する。この実施態様では，コンパートメント２２が収容しているのは送風機３４，モータ３６，バッテリー３８及びフィルターカートリッジ４０のみであり，グレアシールド内に装置を設置するのに必要なスペースが縮小できる。ホース４２は筺体１０に接続する代わりに出口６４内を終端とする。出口６４はコンパートメント３０の外部とアクセスできる。出口６４はライン８１を有する取り外し可能な部材５０に接続した取り外し可能なキャップ６６を備え，キャップ６６を取り外すときに，取り外し可能な部材５０もスイッチ４８から取り外されるようになり，それにより送風機３４が作動する。必要に応じて，コンパートメントから離れている付属の出口６８及び７０には，取り外し可能な部材５０と操作可能に接続されているそれぞれの取り外し可能なキャップを備えてもよい。筺体６０などの手持ち型付属膨張式筺体を膨張させるために出口６８及び７０を使用してもよい（図８参照）。任意の１つのキャップが取り外されると，スイッチ５０が有効にオン状態になり，これにより送風機３４が作動する。出口はグレアシールドの表面が終端であることが示されているが，それらは計器盤の壁上が終端である出口６７など別の場所が終端であってもよい。メンテナンス目的でアクセスカバー６５を装備する。
【００１９】
図９に示す実施態様はグレアシールド内のスペースを制限する場合に有利である。コンパートメント２２から離して，ポケット６２内などに筺体１０を保管することにより，コンパートメント２２の寸法が縮小される。
【００２０】
図１１を参照すると，送風機３４が可撓性ホース６９，７１及び７３に操作可能に取り付けられている。出口６４，６８及び７０にはそれぞれ取り外し可能なキャップ７５，６６及び７９が備えられている。各キャップは取り外し可能な部材５０に，例えば該部材５０に取り付けられたそれぞれのライン８１などを介して接続することも可能であり，そうすることで，キャップの１つが取り外されると，キャップ及び部材５０と結ばれたライン８１が有効に部材５０を取り外し，よって送風機３４が通電する。
【００２１】
図１２を参照すると，それぞれキャップ７９，７５及び６６に近接して配置されたそれぞれのスイッチ８６，８８及び９０を，スイッチ４８の代わりにすることも可能であり，それにより，例えば近接のスイッチを使用して，いずれかのキャップが取り外されると，接続されたスイッチが有効にオン状態になる。展開を必要とする緊急事態の後に装置２が必要なくなったとき，通常閉じているマスタースイッチ９２を使用して送風機モータ３６をオフにできる。スイッチ８６，８８及び９０のいずれか１つが故障した事態では，通常オフになっているバイパススイッチ９４を使用してもよい。スイッチ９４をオンにすると送風機モータ３６が作動する。図２及び３で概略的に図示しているように，スイッチ９２及び９４はコンパートメント２２の外側にアクセス可能な切り替えスイッチ又はプッシュボタンスイッチとすることも可能である。
【００２２】
取り外し可能な部材５０を有するスイッチ４８又はスイッチ８６，８８及び９０の代わりの送風機モータ３６を作動するための他の手段は当業者の熟練の範囲内である。
【００２３】
図９に戻って参照すると，キャップ６６，７５及び７９がグレアシールド８の上面と同一平面であることが示されている。
【００２４】
図１３を参照すると，縮小したコンパートメント９６の概略平面図が示されている。コンパートメント９６は送風機３４，モータ３６及びバッテリー３８を収容する。図に示すように，膨張式筺体１０を収容する区分３０が取り除かれているので，コンパートメント３６の寸法は縮小されている。スペースに制約があるため必要に応じてホース６９及び７３は取り除いてもよい。何故ならそれらは付属の筺体を膨張させるためだけに使用するからである。
【００２５】
図１４を参照すると，筺体１０がポケット６２から取り外されていることが示されている。キャップ６６を取り外した後，筺体１０にすでに接続されている可撓性ホース９８を出口６４に取り付ける。キャップ６６を取り外すと，キャップ６６に取り付けられたライン８１を介して部材５０が取り外されてスイッチ４８が作動する。上記で開示されたように，送風機モータ３６を作動させる他の手段を採用してもよい。
【００２６】
火災で発生した煙及び／又は粒状物質などの視界を不鮮明にする物質がオペレータの周りに充満した後でも，装置２によりオペレータが計器又は他の視覚的データ源との視覚的認識を維持できることが前記から分かる。特に，装置２は風防ガラスの外側及び航空機の操縦室内の計器盤を鮮明に視認できるようにし，煙又は他の視野を悪化させる物質が操縦室の領域内に充満した後でも，航空機を誘導して安全に着陸させるための重要な情報を操縦士に提供する。
【００２７】
装置２は航空機操縦室に関連して示しているが，本発明は，発煙事態など視界を不鮮明にする緊急事態において，ステーション内のオペレータが計器盤などの提供源から情報へアクセスすることを必要とする他の類似の状況にも使用可能である。オペレータステーションの例としては，潜水艦制御ステーション，原子力プラント制御室，石油掘削設備，又は任意の他の危機的もしくは軍事的状況が挙げられ，ここでは，煙又は他の粒状物質がオペレータステーションに充満し，オペレータと制御盤との間の視認性を妨げる場合など，視野を悪化させる緊急事態においてオペレータが操作を継続させるために必要性が生じる。したがって，計器，制御盤又は重要な情報源がオペレータステーションに装備されている場合，視野を悪化させる事態がオペレータステーションで発生した状況でオペレータは情報に視覚的にアクセスしなければならない。
【００２８】
本発明を好適な設計を有するものとして記載したが，全体として発明の原理に従って更なる変形，用途及び／又は適合化が可能であり，その様な本開示からの逸脱は，本発明の分野において公知であるか慣用的に行われている範囲に入るものである限り，また記載した必須の特徴に適用できるものである限り，本発明の範囲又は添付の請求項の限定に入ることが理解されよう。
【図１】
2014520038.tif 000003
【図２】
2014520038.tif 000004
【図３】
2014520038.tif 000005
【図４】
2014520038.tif 000006
【図５】
2014520038.tif 000007
【図６】
2014520038.tif 000008
【図７】
2014520038.tif 000009
【図８】
2014520038.tif 000010
【図９】
2014520038.tif 000011
【図１０】
2014520038.tif 000012
【図１１】
2014520038.tif 000013
【図１２】
2014520038.tif 000014
【図１３】
2014520038.tif 000015
【図１４】
2014520038.tif 000016
【国際調査報告】
2014520038.tif 000017